(57)【要約】      （修正有）【課題】電動送風機の運転音を小さくする運転音抑制モードスイッチを選択した場合であっても回転ブラシによる床面との接触音を小さくし、電動送風機と電動機の両方で運転音を抑制することができる電気掃除機を提供する。【解決手段】電動送風機２を内蔵する掃除機本体１、該掃除機本体１に可撓性ホース４などを介して接続される床用吸込具７と、該床用吸込具７に設けられ電動機８により回転する回転ブラシ９と、前記電動送風機２および前記回転ブラシ９を制御する制御手段とを備え、前記制御手段に前記電動送風機２を通常運転する通常運転モードスイッチと、前記電動送風機の回転数を通常運転よりも低くして運転音を小さくする運転音抑制モードスイッチとを設け、前記運転音抑制モードスイッチを選択した場合、前記制御手段は前記電動機８の運転を停止する。【選択図】  図１
2007300948.tif 000002
【特許請求の範囲】
【請求項１】
電動送風機を内蔵する掃除機本体と、該掃除機本体に可撓性ホースなどを介して接続される床用吸込具と、該床用吸込具に設けられ、電動機により回転する回転ブラシと、前記電動送風機および前記回転ブラシを制御する制御手段とを備え、
前記制御手段に、前記電動送風機を通常運転する通常運転モードと、前記電動送風機の回転数を通常運転よりも低くして運転音を小さくする運転音抑制モードとを設け、
前記運転音抑制モードを選択した場合、前記制御手段は、前記電動機の回転数を前記通常モードで設定される回転数よりも低くする、もしくは前記電動機の運転を停止することを特徴とする電気掃除機。
【請求項２】
前記通常運転モードおよび前記運転音抑制モードは、共通のスイッチで設定されることを特徴とする請求項１記載の電気掃除機。
【請求項３】
前記通常運転モードもしくは前記運転音抑制モードで設定される運転状態とは関係なく、前記電動機の運転を単独で入、切できる電動機スイッチを設けたことを特徴とする請求項１または請求項２記載の電気掃除機。
【請求項４】
前記通常運転モードおよび前記運転音抑制モードを設定する前記共通スイッチを、順次切り替え可能なトグルスイッチとしたことを特徴とする請求項２または記載の電気掃除機。
【発明の詳細な説明】
【技術分野】
【０００１】
本発明は、通常運転する通常運転モードと、電動送風機の回転数を低くして運転音を小さくする運転抑制モードとを備えた電気掃除機に関する。さらに詳しくは、回転ブラシの運転音を小さくする電気掃除機に関する。
【背景技術】
【０００２】
一般的に知られている電気掃除機は、本体部に電動送風機を有し、起動スイッチを操作すると電動送風機が高速回転して床用吸込具からゴミを吸い込むようになっている。そして、床用吸込具には絨毯などに付着したゴミを掻き出すための回転ブラシが設けられており、その回転ブラシは本体部と別の電動機によって駆動されている。
【０００３】
そして、最近では、夜間専用のナイトモード（運転音抑制モード）を設け、夜間に掃除を行う際、昼間に運転する標準モードからナイトモードに切り換えることによって、電動送風機の入力を低下させ運転音を低下させる商品が提案されている。（例えば、特許文献１参照。）
しかしながら、上記のように提案された電気掃除機では、ナイトモード設定時に、電動送風機と回転ブラシ駆動用の電動機が同時に駆動するため、回転ブラシ回転による床面との接触音が大きく、電動送風機の運転音は小さくできていても、総合的には電気掃除機として、それほど運転音が小さくできていないという欠点があった。
【特許文献１】特開平５−  ６８６６３号公報（Ａ４７Ｌ  ９／２８）
【発明の開示】
【発明が解決しようとする課題】
【０００４】
本発明は上記欠点に鑑みなされたもので、電動送風機の運転音を小さくする運転音抑制モードを選択した場合であっても、回転ブラシによる床面との接触音を小さくし、電動送風機と電動機の両方で運転音を抑制することができる電気掃除機を提供することを課題とする。
【課題を解決するための手段】
【０００５】
上記課題を解決するための第１の手段は、電動送風機を内蔵する掃除機本体と、該掃除機本体に可撓性ホースなどを介して接続される床用吸込具と、該床用吸込具に設けられ、電動機により回転する回転ブラシと、前記電動送風機および前記回転ブラシを制御する制御手段とを備え、前記制御手段に、前記電動送風機を通常運転する通常運転モードと、前記電動送風機の回転数を通常運転よりも低くして運転音を小さくする運転音抑制モードとを設け、前記運転音抑制モードを選択した場合、前記制御手段は、前記電動機の回転数を前記通常モードで設定される回転数よりも低くする、もしくは前記電動機の運転を停止することを特徴とする。
【０００６】
また、前記通常運転モードおよび前記運転音抑制モードは、共通のスイッチで設定されるようにしてもよい。
【０００７】
また、前記通常運転モードもしくは前記運転音抑制モードで設定される運転状態とは関係なく、前記電動機の運転を単独で入、切できる電動機スイッチを設けてもよい。
【０００８】
また、前記通常運転モードおよび前記運転音抑制モードを設定する前記共通スイッチを、順次切り替え可能なトグルスイッチとしてもよい。
【発明の効果】
【０００９】
本発明の請求項１によれば、電動送風機の運転音を小さくする運転音抑制モードを選択したときには、回転ブラシ駆動用の電動機は、通常運転モードのときの回転数よりも低い、もしくは電動機が停止しているので、回転ブラシと床面との接触音が小さくなる、もしくは接触音が発生しないので、電動送風機と回転ブラシ駆動用の電動機との両方で電気掃除機の運転音を抑制することができる等の効果を奏する。
【００１０】
本発明の請求項２によれば、１つのスイッチのみで、通常運転モードもしくは運転音抑制モードに設定できるので、使い勝手を向上させることができる。また、スイッチを１つにできるので、スイッチの数が減りコストダウンを図ることができる等の効果を奏する。
【００１１】
本発明の請求項３によれば、運転音抑制モードで運転中に回転ブラシを回転させたいときには、電動機スイッチを入とすることで、運転モードを変えることなく回転ブラシを回転させることができるので、使い勝手を向上させることができる等の効果を奏する。
【００１２】
本発明の請求項４によれば、前記共通スイッチを、順次切り替え可能なトグルスイッチとすることにより、使用者はモードの切替操作を簡単に操作できる等の効果を奏する。
【発明を実施するための最良の形態】
【００１３】
本発明の第１実施形態を図１乃至図５に基づいて以下に説明する。
【００１４】
図１は、本発明の電気掃除機を全体斜視図、図２は、同電気掃除機の手元操作部の上面図、図３は、同電気掃除機の運転制御回路図、図４は、同電気掃除機の動作フローチャート図である。
【００１５】
図１に示す電気掃除機１は、電動送風機２及び運転制御回路（図示しない）を内蔵する掃除機本体３と、該掃除機本体３に一端が接続される可撓性ホース４と、該可撓性ホース４の他端に接続される伸縮可能な延長管５と、前記可撓性ホース４の前記延長管５接続側に形成された把手部６と、前記延長管５に接続され床用吸込具７とから構成される。
【００１６】
８は、前記床用吸込具７に内蔵された電動機で、該電動機８の回転により回転ブラシ９が回転し、被清掃面に付着した塵埃を掻き上げるようになっている。
【００１７】
１０は、前記把手部６の前方に設けられた手元操作部で、該手元操作部１０には、図２に示すように３つのスイッチが設けられている。
【００１８】
これら３つのスイッチについて説明すると、１１は、前記電気掃除機１の運転を入、切する動作スイッチ、１２は、前記電動送風機２の回転数（吸引能力）を調整するパワースイッチで、押すたびに強→中→弱の順に切り替えることができるようになっている。１３は、前記電動機８の運転を入、切する電動機スイッチである。
【００１９】
１４は、前記電動送風機２を通常運転する通常運転モードと、前記電動送風機２の回転数を通常運転よりも低くして運転音を小さくする運転音抑制モードとに設定する運転モード切替スイッチであり、該運転モードスイッチ１４は、トグルスイッチであり、押すたびに通常運転モード→運転音抑制モードの順に切り替えることができるようになっている。運転音抑制モードに設定されたときには、前記運転モード切替スイッチ１４の前方に配置されたＬＥＤ１５が点灯するようになっている。
【００２０】
この運転モード切替スイッチ１４と前記手元操作部１０の各スイッチとの関係について、以下に説明する。
【００２１】
まず、電源コード（図示しない）をコンセントに接続すると、前記運転モード切替スイチ１４は、自動的に通常運転モードに設定される。この状態で前記動作スイッチ１１を押すと、前記電動送風機２のモータに９００Ｗの電力が入力され、通常運転モードでの最も強い吸引能力となる。そして、前記パワースイッチ１２を押すと前記電動送風機２のモータに６００Ｗの電力が入力され、中程度の吸引能力となり、更に前記パワースイッチ１２を押すと前記電動送風機２のモータに３００Ｗの電力が入力され、最も弱い吸引能力となる。また、通常運転モードでは、前記動作スイッチ１１投入時に、前記電動送風機２と前記回転ブラシ９駆動用の前記電動機８が同時に駆動し、前記回転ブラシ９によって被掃除面のゴミを掻き出すことができるようになっている。前記回転ブラシ９を停止したい場合は、前記電動機スイッチ１３を押すと停止できるようになっている。
【００２２】
次に、前記運転モード切替スイッチ１４を押して、運転音抑制モードに設定したときの動作状態について説明する。
【００２３】
運転音抑制モードに設定した状態で、前記動作スイッチ１１を押すと、前記電動送風機２のモータに６００Ｗの電力が入力され、通常運転モードで設定されるときの入力（９００Ｗ）よりも低くなる（モータの回転数が低くなる）ので、前記電動送風機２の運転音を抑制することができるようになっている。そして、前記パワースイッチ１２を押すと前記電動送風機２のモータに４００Ｗの電力が入力され、通常運転モードで設定されるときの入力（６００Ｗ）よりも低くなるので、より前記電動送風機２の運転音を抑制することができるようになっている。更に前記パワースイッチ１２を押すと前記電動送風機２のモータに２００Ｗの電力が入力され、通常運転モードで設定されるときの入力（３００Ｗ）よりも低くなるので、前記電動送風機２の運転音をより抑制することができるようになっている。
【００２４】
ところで、通常運転モードでは、前記動作スイッチ１１投入時に前記電動送風機２と前記回転ブラシ９駆動用の前記電動機８が同時に駆動するようになっていたが、運転音抑制モードでは、前記動作スイッチ１１投入時には、前記電動機８は駆動せず（停止状態）、前記回転ブラシ９は回転しないようになっている。従って、運転音抑制モードの運転においては、前記回転ブラシ９と被掃除面との接触音が発生しないので、前記電動送風機２と前記電動機８との両方で前記電気掃除機１の運転音を抑制し、前記電気掃除機１の運転時における静音化を図ることができるようになっている。運転音抑制モードの運転中に、前記回転ブラシ９を回転したい場合は、前記電動機スイッチ１３を押すと回転できるようになっているので、通常運転モードに切り替えることなく回転ブラシを回転させることができるので、使い勝手が向上する。
【００２５】
次に、図３に基づき本発明の電気掃除機１の運転制御回路について説明する。
【００２６】
１６は、前記電動送風機２及び前記電動機８の運転を制御する制御手段、即ちマイコン（ＣＰＵ）であり、該マイコン１６には、前記手元操作部１０に設けられた前記動作スイッチ１１、前記パワースイッチ１２、前記電動機スイッチ１３、及び前記運転モード切替スイッチ１４からの操作信号が入力し、それらの入力信号に応じて前記マイコン１６は前記電動送風機２と前記電動機８を、夫々電動送風機制御回路１７及び電動機制御回路１８を介して運転制御する。
【００２７】
次に、本発明の電気掃除機の動作を図４のフローチャートにより説明する。
【００２８】
まず、ステップＳ１で動作開始（前記動作スイッチ１１を入する）し、ステップＳ２で、運転音抑制モードで設定されたかを判定する。
【００２９】
判定した結果、運転音抑制モードであれば、前記電動送風機２は通常運転モード（９００Ｗ）よりも低い入力６００Ｗで運転され、前記電動送風機２の運転音が抑制される。また、前記電動機８は停止しているので、前記回転ブラシ９と被掃除面との衝突音は発生しない。よって、前記電動送風機２と前記電動機８との両方で静音化が図られている。また、前記パワースイッチ１２を押すと前記電動送風機２は通常運転モード（６００Ｗ）よりも低い入力４００Ｗで運転され、運転音抑制モードでは中程度の吸引能力となり、更に前記パワースイッチ１２を押すと前記電動送風機２は通常運転モード（３００Ｗ）よりも低い入力２００Ｗで運転され、運転音抑制モードでは最も弱い吸引能力とる（ステップＳ３）。
【００３０】
次に、ステップＳ２で通常運転モードと判定したら、前記電動送風機２のモータに９００Ｗの電力が入力され、通常運転モードでは最も強い吸引能力となる。この時、前記電動機８は回転しており、被掃除面のゴミを掻き出すことができる。前記パワースイッチ１２を押すと前記電動送風機２のモータに６００Ｗの電力が入力され、通常運転モードでは中程度の吸引能力となり、更に前記パワースイッチ１２を押すと前記電動送風機２のモータに３００Ｗの電力が入力され、通常運転モードでは最も弱い吸引能力となっている。
【００３１】
次に、ステップＳ５で前記電動機８の運転状態を判定し、運転されていたらステップＳ６で前記電動機スイッチ１３の操作状態を判定する。前記電動機スイッチ１３が押されたら、ステップＳ７で前記電動機８の運転を停止する。
【００３２】
次に、ステップＳ５で前記電動機８の運転状態を判定した結果、運転されていなかったら、運転されていたらステップＳ８で前記電動機スイッチ１３の操作状態を判定する。前記電動機スイッチ１３が押されたら、ステップＳ９で前記電動機８の運転を開始する。
【００３３】
上記の動作により、前記電動送風機２の運転音を小さくする運転音抑制モードを前記運転モード切替スイッチ１４にて選択したときには、前記回転ブラシ９駆動用の前記電動機８が停止しているので、前記回転ブラシ９と床面との接触音が発生しないので、前記電動送風機２と前記電動機８との両方で前記電気掃除機１の運転音を抑制することができる。
【００３４】
また、運転音抑制モードでの運転中に前記回転ブラシ９を回転させたいときには、前記電動機スイッチ１３を入とすることで、運転モードを変えることなく前記回転ブラシ９を回転させることができるので、使い勝手を向上させることができる。
【００３５】
また、前記運転モード切替スイッチ１４の切り替えのみ、即ち１つのスイッチ（共通のスイッチ）のみで、通常運転モードもしくは運転音抑制モードに設定できるので、使い勝手を向上させることができる。また、スイッチを１つにできるので、スイッチの数が減りコストダウンを図ることができる。更に、前記運転モード切替スイッチ１４を、順次切り替え可能なトグルスイッチとすることにより、使用者はモードの切替操作を簡単に操作できる。
【００３６】
ところで、本実施例では、前記運転モード切替スイッチ１４で運転音抑制モードに設定された時は、前記電動機８の回転を停止するようにしたが、前記電動機８の回転数を通常モードで運転される回転数よりも遅くするように設定しても構わない。この構成により、静音化を図りつつ被清掃面の塵埃も掻き出して効率良く塵埃を吸引することができる。
【図面の簡単な説明】
【００３７】
【図１】本発明の電気掃除機を全体斜視図図である。
【図２】同電気掃除機の手元操作部の上面図である。
【図３】同電気掃除機の運転制御回路図である。
【図４】同電気掃除機の動作フローチャート図である。
【符号の説明】
【００３８】
２        電動送風機
３        掃除機本体
４        可撓性ホース
７        床用吸込具
８        電動機
９        回転ブラシ
１６        マイコン（制御手段）
１４        運転モード切替スイッチ
１３        電動機スイッチ
１７        制御手段（マイコン）
【図１】
2007300948.tif 000003
【図２】
2007300948.tif 000004
【図３】
2007300948.tif 000005
【図４】
2007300948.tif 000006